(57)【要約】【課題】広い設置スペースを必要とせず、少ない施工手間と時間で天井下地材を補強することができる天井下地材補強構造を提供する。【解決手段】野縁２と野縁受け３とを備えた天井下地材を補強する天井下地材補強構造１において、野縁受け３の内側に設けられた補強部材１０と、補強部材１０を野縁受け３の幅方向両側から挟んで野縁受けに固定する固定部材（クリップ２０）とを備えたことを特徴とする。補強部材１０は、野縁受け３の側面部（ウエブ３ｂ）に当接する第一側板部１１と、第一側板部１１と平行で且つ間隔を隔てて配置された第二側板部１２と、第一側板部１１と第二側板部１２とを繋ぐ連結板部１３とを備えたものが好ましい。【選択図】図１
2019078077.tif 000002
【特許請求の範囲】
【請求項１】
野縁と野縁受けとを備えた天井下地材を補強する天井下地材補強構造において、
前記野縁受けの内側に設けられた補強部材と、前記補強部材を前記野縁受けの幅方向両側から挟んで前記野縁受けに固定する固定部材とを備えた
ことを特徴とする天井下地材補強構造。
【請求項２】
前記補強部材は、前記野縁受けの側面部に当接する第一側板部と、当該第一側板部と平行で且つ間隔を隔てて配置された第二側板部と、前記第一側板部と前記第二側板部とを繋ぐ連結板部とを備えた
ことを特徴とする請求項１に記載の天井下地材補強構造。
【請求項３】
前記補強部材は、断面Ｓ字形状を呈している
ことを特徴とする請求項２に記載の天井下地材補強構造。
【請求項４】
前記野縁受けは、上フランジとウエブと下フランジとを備えた断面コ字形を呈しており、
前記固定部材は、野縁と野縁受けとを固定すべく、前記野縁受けを幅方向両側から挟持するとともに下端部で前記野縁のリップ部を係止するクリップであり、
前記クリップは、接合部と野縁受け挟持部と野縁係止部とをそれぞれ備えた第一部材および第二部材を有しており、
前記第一側板部は、前記第一部材の野縁受け挟持部とで前記野縁受けの前記ウエブを挟んだ状態で、前記第一部材の前記野縁受け挟持部および前記野縁受けの前記ウエブに固定され、
前記第二側板部は、第二部材の野縁受け挟持部に固定される
ことを特徴とする請求項２または請求項３に記載の天井下地材補強構造。
【請求項５】
前記第一部材の前記野縁係止部は、前記野縁の両側の前記リップ部を係止する一対の係止片を備え、
前記第二部材の前記野縁係止部は、前記野縁の片側の前記リップ部を係止する一つの係止片を備えており、
前記第一部材には補強カバーが取り付けられており、
前記補強カバーは、前記第一部材の前記野縁受け挟持部に当接するクリップ固定部と前記野縁の上面に当接する野縁当接部とを有する
ことを特徴とする請求項４に記載の天井下地材補強構造。
【請求項６】
前記補強カバーは、前記野縁のリップ部に係合する野縁係合部をさらに有する
ことを特徴とする請求項５に記載の天井下地材補強構造。
【請求項７】
前記補強カバーは、前記野縁の側面に固定される野縁固定部をさらに有する
ことを特徴とする請求項５または請求項６に記載の天井下地材補強構造。
【発明の詳細な説明】
【技術分野】
【０００１】
本発明は、天井下地材補強構造に関する。
【背景技術】
【０００２】
吊ボルトに支持された野縁受けと、野縁受けに支持される野縁とを備えた天井下地材を補強する構造としては、たとえば、野縁受けと吊ボルトの上端部とをブレースで連結する構造や、野縁受けに沿って延在する補強材を野縁上に敷設する構造（たとえば特許文献１参照）等が知られていた。このような構造によれば、天井下地材の剛性を高めて、耐震性の向上を図ることができる。
【先行技術文献】
【特許文献】
【０００３】
【特許文献１】特開２０１１−２１４２４号公報
【発明の概要】
【発明が解決しようとする課題】
【０００４】
前記した従来の補強構造では、補強部材を取り付けるための広い設置スペースが必要である。さらに、補強部材は大掛かりなものであるので、多くの施工手間と時間を要するという問題があった。
【０００５】
そこで、本発明は、前記の問題を解決するためになされたものであり、広い設置スペースを必要とせず、少ない施工手間と時間で天井下地材を補強することができる天井下地材補強構造を提供することを課題とする。
【課題を解決するための手段】
【０００６】
前記課題を解決するための本発明は、野縁と野縁受けとを備えた天井下地材を補強する天井下地材補強構造において、前記野縁受けの内側に設けられた補強部材と、前記補強部材を前記野縁受けの幅方向両側から挟んで前記野縁受けに固定する固定部材とを備えたことを特徴とする天井下地材補強構造である。
【０００７】
このような構成によれば、補強部材を野縁受けの内側に設けるので新たな設置スペースを必要としない。また、補強部材は、野縁受けの内側に挿入して固定部材で野縁受けに固定するだけでよいので、施工手間と時間は少なくて済む。
【０００８】
本発明では、前記補強部材は、前記野縁受けの側面部に当接する第一側板部と、当該第一側板部と平行で且つ間隔を隔てて配置された第二側板部と、前記第一側板部と前記第二側板部とを繋ぐ連結板部とを備えたものが好ましい。このような構成によれば、前記第一側板部と前記第二側板部の二面で補強部材に作用する応力に対抗するので、補強部材の剛性を高めることができる。
【０００９】
そして、本発明では、前記補強部材は、断面Ｓ字形状を呈しているものが好ましい。このような構成によれば、第一側板部と第二側板部に交差する板部が多くなるので、補強部材の剛性を高めることができる。
【００１０】
また、本発明では、前記野縁受けは、上フランジとウエブと下フランジとを備えた断面コ字形を呈しており、前記固定部材は、野縁と野縁受けとを固定すべく、前記野縁受けを幅方向両側から挟持するとともに下端部で前記野縁のリップ部を係止するクリップであり、前記クリップは、接合部と野縁受け挟持部と野縁係止部とをそれぞれ備えた第一部材および第二部材を有しており、前記第一側板部は、前記第一部材の野縁受け挟持部とで前記野縁受けの前記ウエブを挟んだ状態で、前記第一部材の前記野縁受け挟持部および前記野縁受けの前記ウエブに固定され、前記第二側板部は、第二部材の野縁受け挟持部に固定されるものが好ましい。このような構成によれば、補強部材を第一部材と第二部材のそれぞれに固定しているので、補強部材、野縁受けおよびクリップが強固に一体化して固定することができる。野縁受けは、ウエブが第一部材と補強部材に挟まれているので、補強効果が大きい。
【００１１】
さらに、本発明では、前記第一部材の前記野縁係止部は、前記野縁の両側の前記リップ部を係止する一対の係止片を備え、前記第二部材の前記野縁係止部は、前記野縁の片側の前記リップ部を係止する一つの係止片を備えており、前記第一部材には補強カバーが取り付けられており、前記補強カバーは、前記第一部材の前記野縁受け挟持部に当接するクリップ固定部と前記野縁の上面に当接する野縁当接部とを有するものが好ましい。このような構成によれば、第二部材が片方のみの係止片を備えていることで、第一部材と第二部材を連結した状態で、野縁に装着することができる。つまり、一つの係止片を切り欠いて他の係止片を三方に配置すれば、クリップを斜めにずらすことで野縁の内側に挿入可能となる。これによって、クリップの装着を容易に行うことができる。また、クリップ固定部と野縁当接部とを備える補強カバーを設けたことで、野縁受けおよびクリップが野縁に対して第一部材側に回転しようとする力に対抗できる。
【００１２】
また、本発明では、前記補強カバーは、前記野縁のリップ部に係合する野縁係合部をさらに有するものが好ましい。このような構成によれば、補強カバーが野縁係合部を有することで野縁からの浮き上がりを防止できるので、野縁受けおよびクリップが野縁に対して第二部材側に回転しようとする力に対抗できる。
【００１３】
また、本発明では、前記補強カバーは、前記野縁の側面に固定される野縁固定部をさらに有するものが好ましい。このような構成によれば、野縁受けおよびクリップが野縁に対して回転しようとする力により一層対抗できる。
【発明の効果】
【００１４】
本発明によれば、広い設置スペースを必要とせず、少ない施工手間と時間で天井下地材を補強することができる、といった優れた効果を発揮する。
【図面の簡単な説明】
【００１５】
【図１】本発明の実施形態に係る天井下地材補強構造を示した斜視図である。
【図２】本発明の実施形態に係る天井下地材補強構造を示した側面図である。
【図３】（ａ）は補強部材を示した側面図、（ｂ）は正面図である。
【図４】補強部材を示した斜視図である。
【図５】クリップと保護カバーを示した正面図である。
【図６】クリップの第二部材を示した背面図である。
【図７】クリップを示した分解斜視図である。
【図８】（ａ）は補強カバーを示した平面図、（ｂ）は側面図、（ｃ）は正面図である。
【図９】補強カバーを示した斜視図である。
【図１０】本発明の実施形態に係る天井下地材補強構造の各部材と吊ボルトおよびブレースの位置関係を示した側面図である。
【図１１】本発明の実施形態に係る天井下地材補強構造の各部材の位置関係の変形例を示した側面図である。
【図１２】本発明の実施形態に係る天井下地材補強構造の変形例を示した側面図である。
【発明を実施するための形態】
【００１６】
本発明の実施形態に係る天井下地材補強構造について、図面を参照しつつ詳細に説明する。なお、本実施形態では、天井下地材補強構造を野縁の軸方向に沿って補強カバー側から見た部分を正面、野縁受けの軸方向に沿って見た部分を側面とする。
【００１７】
図１に示すように、本実施形態に係る天井下地材補強構造１は、野縁２と野縁受け３とを備えた天井下地材を補強する構造であって、野縁２と野縁受け３とを連結する部分において、野縁受け３とクリップ２０を補強する。野縁２は、溝型を呈しており、底板部２ａと、底板部２ａの幅方向両側から立ち上がる側板部２ｂ，２ｂと、側板部２ｂの上端に形成されたリップ部２ｃとを備えている。リップ部２ｃは内側に突出している。野縁受け３は、断面コ字形を呈しており、上フランジ３ａとウエブ３ｂと下フランジ３ｃとを備えている。野縁２は、野縁受け３の下側で野縁受け３と直交して配置されている。
【００１８】
図１および図２に示すように、天井下地材補強構造１は、補強部材１０とクリップ２０と補強カバー５０とを備えている。クリップ２０は、野縁２と野縁受け３を接続する役目と、補強部材１０を野縁受け３に固定する固定部材の役目を果たす。
【００１９】
補強部材１０は、野縁２と野縁受け３との連結部分における野縁受け３を補強する部位であって、野縁受け３の内側に設けられている。図３および図４にも示すように、補強部材１０は、金属製の板材を折り曲げ加工して形成されている。なお、補強部材１０は、押出形材によって構成されていてもよい。補強部材１０は、第一側板部１１と第二側板部１２と連結板部１３とを備えており、断面Ｓ字形状を呈している。
【００２０】
図１０に示すように、本実施形態では、吊ボルト５の両側の野縁受け３にブレース６の下端部が接続されている。補強部材１０は、ブレース６の接続位置の近傍の吊ボルト５を中心として、両側に延在している。補強部材１０の両側位置には、クリップ２０と補強カバー５０が設けられて、野縁受け３の下側に野縁２が固定されている。クリップ２０と補強カバー５０は、吊ボルト５を挟んだ補強部材１０の左右両側それぞれに、二箇所ずつ設けられている。補強部材１０の延在長さ寸法およびクリップ２０および補強カバー５０の設置箇所数は、要求されるブレース６の強度に応じて適宜設定される。
【００２１】
なお、補強部材１０の設置位置は、前記構成に限定されるものではない。例えば、図１１に示すように、クリップ２０と補強カバー５０を中心として、両側に補強部材１０を延在させてもよい。この場合、左右一対のブレース６，６でクリップ２０と補強カバー５０を挟むように、ブレース６を配置するのが好ましい。このような構成とすることで、ブレース６から作用する応力を補強部材１０で受けることができる。
【００２２】
第一側板部１１は、野縁受け３のウエブ３ｂ（側面部）に当接する部位である。第一側板部１１には、補強部材１０を野縁受け３、クリップ２０および補強カバー５０と固定するためのビスＶが打ち込まれる。第一側板部１１の下端には、第二側板部１２側に張り出す張出水平板部１５が連続している。張出水平板部１５の張出寸法は、連結板部１３の幅寸法と同等である。
【００２３】
第二側板部１２は、第一側板部１１と平行で、且つ野縁受け３の幅方向に間隔を隔てて配置されている。第二側板部１２は、第一側板部１１より上側に設けられている。第二側板部１２の高さ寸法と第一側板部１１の高さ寸法は、合わせて野縁受け３の上フランジ３ａと下フランジ３ｃ間の内のり寸法と同等となっている。第二側板部１２には、補強部材１０をクリップ２０と固定するためのビスＶが打ち込まれる。第二側板部１２の上端には、第一側板部１１側に張り出す張出水平板部１５が連続している。張出水平板部１５の張出寸法は、連結板部１３の幅寸法と略同等である。
【００２４】
連結板部１３は、第一側板部１１と第二側板部１２とを繋ぐ部位である。連結板部１３は、水平方向に延在しており、第一側板部１１の上端から連続して第二側板部１２の下端に繋がっている。本実施形態では、第二側板部１２の高さ寸法は第一側板部１１の高さ寸法よりも大きくなっていて、連結板部１３が、補強部材１０の高さ方向の中間部よりも低い位置に配置されている。このような構成によれば、補強部材１０の重心が下がるので、野縁受け３が転倒し難くなる。連結板部１３の幅寸法は、野縁受け３の上フランジ３ａおよび下フランジ３ｃの突出寸法と略同等であって、第二側板部１２の外側面が野縁受け３の上フランジ３ａおよび下フランジ３ｃの先端面と同一面内になるように構成されている。以上のような構成の補強部材１０は、野縁受け３の上フランジ３ａとウエブ３ｂと下フランジ３ｃの内面にそれぞれ当接した状態で野縁受け３の内側空間に納まる。なお、連結板部１３は、水平方向に延在していることに限定されるものではなく、傾斜していてもよい。
【００２５】
図１および図２に示すように、クリップ２０は、野縁受け３および補強部材１０を幅方向両側から挟持するとともに、その下端部で野縁２を係止する。図５乃至図７にも示すように、クリップ２０は、第一部材２１と第二部材２２を有している。第一部材２１と第二部材２２は、ボルトＢを介して上端部同士が接合されている。
【００２６】
第一部材２１は、金属製の板材を折り曲げ加工して形成されている。第一部材２１は、接合部２３と野縁受け挟持部２４と野縁係止部２５とを備えている。接合部２３は、第二部材２２の接合部２３と当接する部位である。接合部２３は、第一部材２１の上端部で縦方向に延在している。接合部２３にはボルト孔２６が形成されている。
【００２７】
野縁受け挟持部２４は、第二部材２２の野縁受け挟持部２９とで、野縁受け３および補強部材１０を両側から挟持する部位である。また、野縁受け挟持部２４は、補強部材１０とで野縁受け３のウエブ３ｂを挟んでいる。野縁受け挟持部２４は、接合部２３の下端から屈曲した水平部２４ａと水平部２４ａの先端から屈曲した垂下部２４ｂとを備えている。水平部２４ａは、野縁受け３の上フランジ３ａの上面に当接する。垂下部２４ｂは、野縁受け３のウエブ３ｂの外面に当接する。垂下部２４ｂの高さ寸法は、野縁受け３の高さ寸法より大きい。垂下部２４ｂの下端部は、野縁受け３の下端よりも下方に突出する。垂下部２４ｂの下部は幅が小さくなっており、野縁２の内側に挿入可能となっている。垂下部２４ｂには、ビス孔２７が形成されている。
【００２８】
野縁係止部２５は、野縁２のリップ部２ｃを内側下方から係止する部位である。野縁係止部２５は、垂下部２４ｂの下端から外側に張り出す張出部２５ａと、張出部２５ａの幅方向両側に設けられた係止片２５ｂ，２５ｂを備えている。張出部２５ａは、野縁２の軸方向に沿って水平方向に張り出している。張出部２５ａの基端部には、垂下部２４ｂの下端部に跨る補強ビード２８が設けられている。係止片２５ｂは、断面Ｊ字形状を呈しており、リップ部２ｃに下側から噛み合う。
【００２９】
第二部材２２は、金属製の板材を折り曲げ加工して形成されている。第二部材２２は、第一部材２１よりも板厚が若干薄くなっている。なお、第二部材２２の板厚を、第一部材２１の板厚と同じにしてもよい。第二部材２２は、接合部２３と野縁受け挟持部２９と野縁係止部３０とを備えている。接合部２３は、第一部材２１の接合部２３と当接する部位である。接合部２３は、第一部材２１の接合部２３と同じ形状であって、第二部材２２の上端部で縦方向に延在している。接合部２３にはボルト孔２６が形成されている。
【００３０】
野縁受け挟持部２９は、第一部材２１の野縁受け挟持部２４とで、野縁受け３を両側から挟持する部位である。野縁受け挟持部２９は、接合部２３の下端から屈曲した水平部２９ａと水平部２９ａの先端から屈曲した垂下部２９ｂとを備えている。水平部２９ａは、第一部材２１の水平部２４ａと同じ形状であって、野縁受け３の上フランジ３ａの上面に当接する。垂下部２９ｂは、野縁受け３の断面コ字の開口端部を覆い、補強部材１０の第二側板部１２に当接する。垂下部２９ｂの高さ寸法は、垂下部２４ｂの高さ寸法と同等である。垂下部２９ｂの下端部は、野縁受け３の下端よりも下方に突出する。垂下部２９ｂの下部は、一側が斜めに切り欠かれている（図６および図７参照）。垂下部２９ｂには、ビス孔２７が形成されている。
【００３１】
野縁係止部３０は、野縁２の一方のリップ部２ｃを内側から係止する部位である。野縁係止部３０は、垂下部２９ｂの下端から外側に張り出す張出部３０ａと、張出部３０ａの幅方向片側に設けられた係止片３０ｂを備えている。張出部３０ａは、野縁２の軸方向に沿って水平方向に張り出している。張出部３０ａの幅寸法は、第一部材２１の張出部２５ａの幅寸法よりも小さい。張出部３０ａの基端部には、垂下部２９ｂの下端部に跨る補強ビード２８が設けられている。係止片３０ｂは、断面Ｊ字形状を呈しており、リップ部２ｃに下側から噛み合う。第二部材２２の係止片３０ｂは、一方のみに形成されており、他方には形成されていない。
【００３２】
以上のような構成のクリップ２０は、第一部材２１と第二部材２２を予めボルトＢで弛んだ状態で仮固定しておく。そして、補強部材１０を野縁受け３に装着した後に、第一部材２１を野縁２に係止させる。その後、第二部材２２を上方に回転させた状態で、第一部材２１を野縁受け３に装着する。第二部材２２を下方に回転させて、野縁２に係止させる。このとき、第二部材２２は、係止片３０ｂが片方にしか設けられていないので、野縁係止部３０を野縁２内に挿入することができる。つまり、第一部材２１と第二部材２２を繋いだまま野縁２および野縁受け３に装着することができる。
【００３３】
補強カバー５０は、野縁受け３が野縁２に対して回転（傾倒）しようとするのを抑制するとともに、クリップ２０の野縁２への係合強度を補強する。補強カバー５０は第一部材２１に取り付けられる。補強カバー５０は、金属製の板材を折り曲げ加工して形成されている。補強カバー５０は、クリップ固定部５１と水平張出部５２と野縁係合部５３と野縁固定部５４とを有している。
【００３４】
クリップ固定部５１は、鉛直方向に延在しており、第一部材２１の垂下部２４ｂの外面に当接する。クリップ固定部５１には、ビス孔５５が形成されている。ビス孔５５は、第一部材２１のビス孔２７に相当する位置に形成されている。水平張出部５２は、クリップ固定部５１の下端から外側に張り出す。水平張出部５２は、野縁係止部２５を上側から覆うとともに、野縁係止部２５の先端より所定長さ張り出す。水平張出部５２の基端部には、クリップ固定部５１の下端部に跨る補強ビード５８が設けられている。水平張出部５２には、補強カバー５０を補強するためのビード５６が形成されている。ビード５６は、野縁２の軸方向に延在して、上方に突出して形成されている。水平張出部５２のうち、基端部で野縁係止部２５を覆う部分は、野縁２の幅よりも外側に張り出している。水平張出部５２の基端部の幅方向両端は、野縁２の上面に当接する野縁当接部５２ａ（図１、図８および図９参照）となる。水平張出部５２のうち、野縁係止部２５の先端より張り出した部分は、野縁２のリップ部２ｃ，２ｃ間の寸法より狭くなっている。
【００３５】
野縁係合部５３は、野縁２のリップ部２ｃ，２ｃに内側から係合する。野縁係合部５３は、水平張出部５２のうち、野縁係止部２５の先端より張り出した部分の両側に設けられた係合片５３ａ，５３ａからなる。係合片５３ａは、断面Ｊ字形状を呈しており、リップ部２ｃに下側から噛み合う。
【００３６】
野縁固定部５４は、野縁２の側板部２ｂ（側面）に外側から当接して、ビス止めされる。野縁固定部５４は、水平張出部５２のうち、野縁係止部２５を覆う部分（基端部）の両側に設けられた垂下板部５４ａ，５４ａからなる。垂下板部５４ａは、野縁２の側板部２ｂの下端の近傍で下端より少し上方まで延在している。垂下板部５４ａには、ビス孔５７が形成されている。
【００３７】
本実施形態では、補強カバー５０を、係止片３０ｂが一つ設けられた第二部材２２側ではなく、係止片２５ｂが二つ設けられた第一部材２１側に設けている。これは、係止片３０ｂが少ない第二部材２２側の方が、野縁２の上側に傾きやすく、第一部材２１が野縁２に対して近付く方向に応力が作用するためである。
【００３８】
以上のような構成の補強カバー５０は、クリップ２０を装着した後に、取り付けられる。補強カバー５０は、斜めにずらすことで野縁係合部５３を野縁２の内側に挿入した後、水平張出部５２を水平にすることで、係合片５３ａをリップ部２ｃに係合させる。そして、クリップ固定部５１を、第一部材２１の垂下部２４ｂの外面に当接させ、ビスＶで固定する（図１および図２参照）。野縁固定部５４側から野縁２の側板部２ｂにビスＶを打ち、補強カバー５０と野縁２を固定する。これによって、野縁受け３、補強部材１０、クリップ２０、補強カバー５０および野縁２が一体に固定される。
【００３９】
本実施形態に係る天井下地材補強構造１によれば、補強部材１０を野縁受け３の内側に装着しているので、従来のように別途の設置スペースを設ける必要がない。補強部材１０は、野縁受け３の内周面に当接して装着されるので、補強部材１０の位置決めが容易であるとともに、補強効果が高い。さらに、補強部材１０は、断面Ｓ字形状であり、第一側板部１１と第二側板部１２に交差する連結板部１３を有するので、補強部材１０の剛性を高めることができる。特に、補強部材１０の上下両端に張出水平板部１５，１５が設けられているので、補強部材１０の剛性をより一層高めることができる。
【００４０】
また、補強部材１０を野縁受け３に仮止めして、クリップ２０と補強カバー５０を装着して、ビスＶで固定するので、野縁受け３、補強部材１０、クリップ２０および補強カバー５０を容易に一体固定することができる。したがって、天井下地材補強構造１の施工手間および時間を低減することができる。
【００４１】
さらに、本実施形態では、野縁受け３をクリップ２０の第一部材２１と第二部材２２とで挟持して、補強部材１０を第一部材２１と第二部材２２のそれぞれに当接した状態で固定しているので、補強部材１０、野縁受け３およびクリップ２０を強固に一体化することができる。
【００４２】
また、本実施形態では、補強カバー５０をクリップ２０に取り付けたことで、クリップ２０が野縁２に対して回転しようとする力に対抗できるので、野縁２と野縁受け３の固定強度を高めることができる。具体的には、クリップ２０が第一部材２１側に傾こうとしたときに、第一部材２１がクリップ固定部５１に受け止められる。補強カバー５０が回転しようとする応力は、野縁当接部５２ａから野縁２の上面に流すことで対抗する。これによって、野縁受け３およびクリップ２０が回転しようとするのを押さえることができる。さらに、補強カバー５０は、野縁２の側板部２ｂに固定される野縁固定部５４を有するので、補強カバー５０が野縁２に強固に固定される。さらに、補強カバー５０はビスでクリップ２０にも固定可能である。したがって、野縁２と野縁受け３の固定強度をより一層高めることができる。
【００４３】
さらに、本実施形態では、補強部材１０の設置部分に、ブレース６を接続しているので、ブレース６から作用する応力を補強部材１０で受けることができる。特に、ブレース６の接続位置の両側に、クリップ２０を設けて補強部材１０を固定しているので、補強部材１０を安定した状態で強固に固定できる。
【００４４】
以上、本発明を実施するための形態についてそれぞれ説明したが、本発明は前記の実施形態に限定されず、本発明の趣旨を逸脱しない範囲で、材質、形状や大きさなど適宜設計変更が可能である。例えば、前記実施形態では、クリップ２０の係止片が一つ削除されて、３つの係止片２５ｂ，２５ｂ，３０ｂを備えた構成となっているが、張出部２５ａ，３０ａの先端四隅のそれぞれに係止片が設けられたものであってもよい。この場合には、図１２に示すように、補強カバー５０を設けないこともある。補強部材１０の第一側板部１１と、野縁受け３のウエブ３ｂと、クリップ２０の第一部材２１とをビスＶで固定し、補強部材１０の第二側板部１２と、クリップ２０の第二部材２２とを別のビスＶで固定すればよい。このようにすれば、クリップ２０で野縁受け３を挟持する前でも、第一部材２１と第二部材２２を補強部材１０にそれぞれ固定することができる。また、野縁受け３の両側から容易に施工することができる。
【００４５】
また、前記実施形態では、補強部材１０は断面Ｓ字形状を呈しているがこれに限定されるものではない。補強部材１０は、たとえば、断面矩形形状、断面Ｈ型形状、断面Ｕ型形状等の他の形状であってもよい。
【符号の説明】
【００４６】
１      天井下地材補強構造
２      野縁
３      野縁受け
１０    補強部材
１１    第一側板部
１２    第二側板部
１３    連結板部
２０    クリップ
２１    第一部材
２２    第二部材
２４    野縁受け挟持部
２５    野縁係止部
２５ｂ  係止片
２９    野縁受け挟持部
３０    野縁係止部
３０ｂ  係止片
５０    補強カバー
５１    クリップ固定部
５２    水平張出部
５２ａ  野縁当接部
５３    野縁係合部
５３ａ  係合片
【図１】
2019078077.tif 000003
【図２】
2019078077.tif 000004
【図３】
2019078077.tif 000005
【図４】
2019078077.tif 000006
【図５】
2019078077.tif 000007
【図６】
2019078077.tif 000008
【図７】
2019078077.tif 000009
【図８】
2019078077.tif 000010
【図９】
2019078077.tif 000011
【図１０】
2019078077.tif 000012
【図１１】
2019078077.tif 000013
【図１２】
2019078077.tif 000014